(57)【要約】  分布情報記憶部（１０１）は、空気の状態を示すパラメータの倉庫内における分布を示す情報である第１分布情報を記憶する。分布情報生成部（１０９）は、分布情報記憶部（１０１）に記憶された第１分布情報から、パラメータの倉庫内における分布を倉庫内における領域毎に領域に応じた密度で示す情報である第２分布情報を生成する。分布情報送信部（１１０）は、分布情報生成部（１０９）により生成された第２分布情報を端末装置に送信する。
2020194452.tif 000002
【特許請求の範囲】
【請求項１】
空気の状態を示すパラメータの倉庫内における分布を示す情報である第１分布情報を記憶する分布情報記憶手段と、
前記分布情報記憶手段に記憶された前記第１分布情報から、前記パラメータの前記倉庫内における分布を前記倉庫内における領域毎に前記領域に応じた密度で示す情報である第２分布情報を生成する分布情報生成手段と、
前記分布情報生成手段により生成された前記第２分布情報を端末装置に送信する分布情報送信手段と、を備える、
情報提供システム。
【請求項２】
前記端末装置が取得した情報である取得情報を前記端末装置から受信する取得情報受信手段と、
前記取得情報受信手段が受信した前記取得情報に基づいて、前記倉庫内における領域毎に、前記パラメータの重要度を決定する重要度決定手段と、を更に備え、
前記分布情報生成手段は、前記パラメータの重要度として第１重要度が決定された領域における前記パラメータの密度が前記パラメータの重要度として前記第１重要度よりも低い第２重要度が決定された領域における前記パラメータの密度よりも高い前記第２分布情報を生成する、
請求項１に記載の情報提供システム。
【請求項３】
前記取得情報受信手段が受信した前記取得情報が、前記倉庫内に配置される空調機による空調管理に対応する情報であるか否かを判別する取得情報判別手段を更に備え、
前記重要度決定手段は、前記取得情報が前記空調管理に対応する情報であると判別された場合、前記空調管理に対応付けられた領域に対する前記パラメータの重要度として前記第１重要度を決定し、前記空調管理に対応付けられていない領域に対する前記パラメータの重要度として前記第２重要度を決定する、
請求項２に記載の情報提供システム。
【請求項４】
前記倉庫内における前記空調機の設置位置を示す情報である設置位置情報を記憶する設置位置記憶手段を更に備え、
前記重要度決定手段は、前記取得情報が前記空調管理に対応する情報であると判別された場合、前記設置位置記憶手段に記憶された前記設置位置情報に基づいて、前記空調機から近い領域に対する前記パラメータの重要度として前記第１重要度を決定し、前記空調機から遠い領域に対する前記パラメータの重要度として前記第２重要度を決定する、
請求項３に記載の情報提供システム。
【請求項５】
前記重要度決定手段は、前記取得情報が前記空調管理に対応する情報であると判別された場合、前記倉庫の隅から近い領域に対する前記パラメータの重要度として前記第１重要度を決定し、前記倉庫の隅から遠い領域に対する前記パラメータの重要度として前記第２重要度を決定する、
請求項３に記載の情報提供システム。
【請求項６】
前記重要度決定手段は、前記取得情報が前記空調管理に対応する情報であると判別された場合、前記倉庫の端から近い領域に対する前記パラメータの重要度として前記第１重要度を決定し、前記倉庫の端から遠い領域に対する前記パラメータの重要度として前記第２重要度を決定する、
請求項３に記載の情報提供システム。
【請求項７】
前記重要度決定手段は、前記取得情報が前記空調管理に対応する情報であると判別された場合、前記倉庫の出入口から近い領域に対する前記パラメータの重要度として前記第１重要度を決定し、前記倉庫の出入口から遠い領域に対する前記パラメータの重要度として前記第２重要度を決定する、
請求項３に記載の情報提供システム。
【請求項８】
前記取得情報には、前記端末装置のユーザを識別するための情報であるユーザ識別情報が含まれ、
前記ユーザ識別情報と前記ユーザの分類を示すユーザ分類情報とが対応付けられた対応関係情報を記憶する対応関係記憶手段を更に備え、
前記取得情報判別手段は、前記ユーザ分類情報により示される分類が前記空調機の管理者を示す分類である場合、前記取得情報が前記空調管理に対応する情報であると判別する、
請求項３から７のいずれか１項に記載の情報提供システム。
【請求項９】
前記取得情報受信手段が受信した前記取得情報が、前記倉庫内に配置される物品に対する物品管理に対応する情報であるか否かを判別する取得情報判別手段を更に備え、
前記重要度決定手段は、前記物品管理に対応付けられた領域に対する前記パラメータの重要度として前記第１重要度を決定し、前記物品管理に対応付けられていない領域に対する前記パラメータの重要度として前記第２重要度を決定する、
請求項２に記載の情報提供システム。
【請求項１０】
前記倉庫内における前記物品の位置を示す情報である物品位置情報を記憶する物品位置記憶手段を更に備え、
前記重要度決定手段は、前記取得情報が前記物品管理に対応する情報であると判別された場合、前記物品位置記憶手段に記憶された前記物品位置情報に基づいて、前記物品から近い領域に対する前記パラメータの重要度として前記第１重要度を決定し、前記物品から遠い領域に対する前記パラメータの重要度として前記第２重要度を決定する、
請求項９に記載の情報提供システム。
【請求項１１】
前記取得情報には、前記端末装置のユーザを識別するための情報であるユーザ識別情報が含まれ、
前記ユーザ識別情報と前記ユーザの分類を示すユーザ分類情報とが対応付けられた対応関係情報を記憶する対応関係記憶手段を更に備え、
前記取得情報判別手段は、前記ユーザ分類情報により示される分類が前記物品の管理者を示す分類である場合、前記取得情報が前記物品管理に対応する情報であると判別する、
請求項９又は１０に記載の情報提供システム。
【請求項１２】
前記端末装置の通信速度と前記端末装置の処理速度とのうちの少なくとも一方を示す情報である性能情報を取得する性能情報取得手段を更に備え、
前記分布情報生成手段は、前記性能情報取得手段が取得した前記性能情報に応じて、前記パラメータの重要度として前記第１重要度が決定された領域における前記パラメータの密度と、前記パラメータの重要度として前記第２重要度が決定された領域における前記パラメータの密度とのうちの少なくとも一方の密度を変化させる、
請求項２から１１のいずれか１項に記載の情報提供システム。
【請求項１３】
前記端末装置を更に備え、
前記端末装置は、
前記分布情報送信手段から前記第２分布情報を受信する分布情報受信手段と、
前記分布情報受信手段が受信した前記第２分布情報に基づいて、前記パラメータの前記倉庫内における分布を前記倉庫内における領域毎に前記領域に応じた密度で示す画面を表示する分布情報表示手段と、を備える、
請求項１から１２のいずれか１項に記載の情報提供システム。
【請求項１４】
空気の状態を示すパラメータの倉庫内における分布を示す情報である第１分布情報から、前記パラメータの前記倉庫内における分布を前記倉庫内における領域毎に前記領域に応じた密度で示す情報である第２分布情報を生成する分布情報生成手段と、
前記分布情報生成手段により生成された前記第２分布情報を端末装置に送信する分布情報送信手段と、を備える、
情報提供装置。
【請求項１５】
空気の状態を示すパラメータの倉庫内における分布を示す情報である第１分布情報から、前記パラメータの前記倉庫内における分布を前記倉庫内における領域毎に前記領域に応じた密度で示す情報である第２分布情報を生成し、送信する、
情報提供方法。
【請求項１６】
コンピュータを、
空気の状態を示すパラメータの倉庫内における分布を示す情報である第１分布情報から、前記パラメータの前記倉庫内における分布を前記倉庫内における領域毎に前記領域に応じた密度で示す情報である第２分布情報を生成する分布情報生成手段、
前記分布情報生成手段により生成された前記第２分布情報を端末装置に送信する分布情報送信手段、として機能させる、
プログラム。
【発明の詳細な説明】
【技術分野】
【０００１】
本発明は、情報提供システム、情報提供装置、情報提供方法、及び、プログラムに関する。
【背景技術】
【０００２】
現在、倉庫内に保管される物品を適切に管理するために、空気の状態を示すパラメータの倉庫内における分布を取得及び提供する技術が知られている。このパラメータは、例えば、温度、湿度、空気清浄度、風量、風向である。パラメータの分布は、例えば、パラメータを測定するセンサとパラメータをシミュレートするシミュミレータとにより取得される。【０００３】
例えば、特許文献１には、実測データを用いた環境シミュレーションを定期的に実施し、上記パラメータに対応する環境物理要素の３次元空間分布をリアルタイムで取得及び提供する空調環境モニタリングシステムが記載されている。ここで、環境シミュレーションでは、倉庫内の全ての箇所における環境物理要素を含む３次元空間分布が生成されるため、非常に多くの個数の環境物理要素が取得される。
【先行技術文献】
【特許文献】
【０００４】
【特許文献１】特開２０１２−６３０５５号公報
【発明の概要】
【発明が解決しようとする課題】
【０００５】
しかしながら、特許文献１に記載された技術では、環境シミュレーションにより取得された全ての環境物理要素が、３次元空間分布の表示のために転送及び処理される。このため、特許文献１に記載された技術では、環境物理要素を含む３次元空間分布の表示のための通信負荷と処理負荷とが非常に大きい。そこで、空気の状態を示すパラメータの分布の表示のための通信負荷と処理負荷とを低減する技術が望まれている。【０００６】
本発明は、上記問題に鑑みてなされたものであり、空気の状態を示すパラメータの分布の表示のための通信負荷と処理負荷とを低減する情報提供システム、情報提供装置、情報提供方法、及び、プログラムを提供することを目的とする。
【課題を解決するための手段】
【０００７】
上記目的を達成するために、本発明に係る情報提供システムは、
空気の状態を示すパラメータの倉庫内における分布を示す情報である第１分布情報を記憶する分布情報記憶手段と、
前記分布情報記憶手段に記憶された前記第１分布情報から、前記パラメータの前記倉庫内における分布を前記倉庫内における領域毎に前記領域に応じた密度で示す情報である第２分布情報を生成する分布情報生成手段と、
前記分布情報生成手段により生成された前記第２分布情報を端末装置に送信する分布情報送信手段と、を備える。
【発明の効果】
【０００８】
本発明では、空気の状態を示すパラメータの倉庫内における分布を倉庫内における領域毎に領域に応じた密度で示す情報が生成される。従って、本発明によれば、パラメータの分布の表示のための通信負荷と処理負荷とを低減することができる。
【図面の簡単な説明】
【０００９】
【図１】本発明の実施形態１に係る情報提供システムの構成図
【図２】本発明の実施形態１に係る情報提供システムの機能構成図
【図３】本発明の実施形態１に係る端末装置の機能構成図
【図４】第１分布情報を示す図
【図５】設置位置情報を示す図
【図６】物品位置情報を示す図
【図７】対応関係情報を示す図
【図８】第２分布情報を示す図
【図９】本発明の実施形態１に係る情報提供装置が実行する情報提供処理を示すフローチャート
【図１０】本発明の実施形態１に係る端末装置が実行する表示処理を示すフローチャート
【図１１】設備保守員に対して表示される画面を示す図
【図１２】空調機又は倉庫の隅に近い領域でパラメータの分布の密度が高いことを示す図
【図１３】物品管理者に対して表示される画面を示す図
【図１４】倉庫の端に近い領域でパラメータの分布の密度が高いことを示す図
【図１５】倉庫の出入口に近い領域でパラメータの分布の密度が高いことを示す図
【図１６】本発明の実施形態４に係る情報提供システムの機能構成図
【図１７】本発明の実施形態５に係る情報提供システムの構成図
【発明を実施するための形態】
【００１０】
（実施形態１）
まず、図１を参照して、本発明の実施形態１に係る情報提供システム１０００の構成について説明する。情報提供システム１０００は、分布情報をユーザに提供するシステムである。分布情報は、空気の状態を示すパラメータの値の倉庫内における分布を示す情報、つまり、空気の状態を示すパラメータの値を倉庫内の地点毎に示す情報である。空気の状態を示すパラメータは、空気環境を示すパラメータであり、例えば、温度、湿度、空気清浄度、風量、風向である。空気清浄度は、例えば、浮遊粉塵量、一酸化炭素濃度、二酸化炭素濃度、揮発性有機化合物濃度である。以下、適宜、パラメータの値を、単に、パラメータという。
【００１１】
情報提供システム１０００は、予め用意されている第１分布情報に基づいて第２分布情報を生成し、第２分布情報をユーザに提供する。第１分布情報は、例えば、上記パラメータの倉庫内における分布を、倉庫内の全領域に亘って第１密度で示す情報である。第２分布情報は、上記パラメータの倉庫内における分布を、倉庫内における領域毎に領域に応じた密度で示す情報である。領域に応じた密度は、上記第１密度以下の密度である。
【００１２】
情報提供システム１０００は、上記パラメータの詳細な分布の提供が望まれる領域に対しては、上記パラメータの詳細な分布を提供する。一方、情報提供システム１０００は、上記パラメータの詳細な分布の提供が望まれない領域に対しては、上記パラメータの大まかな分布を提供する。つまり、第２分布情報は、上記パラメータの重要度が高い領域ほど高い密度で上記パラメータの分布を示す。なお、端末装置２００のユーザ毎に、上記パラメータの詳細な分布の提供が望まれる領域は異なると考えられる。
【００１３】
本実施形態では、情報提供システム１０００は、第１分布情報から上記パラメータの重要度が低い領域ほど多くの上記パラメータを間引くことにより、第２分布情報を生成する。かかる構成によれば、第１分布情報の情報量が膨大であっても、第２分布情報の情報量を抑制することが可能である。以下、上記パラメータが温度である例について説明する。なお、第２分布情報は、例えば、倉庫内の空調管理、又は、倉庫内の物品管理に用いられる。
【００１４】
図１に示すように、情報提供システム１０００は、情報提供装置１００を備える。情報提供装置１００と端末装置２００とは、通信ネットワーク３００を介して相互に接続される。
【００１５】
情報提供装置１００は、端末装置２００からの指示に従って、第１分布情報から第２分布情報を生成する装置である。情報提供装置１００は、通信ネットワーク３００を介して、生成した第２分布情報を端末装置２００に送信する。図１に示すように、情報提供装置１００は、物理的には、プロセッサ１１と、ハードディスク１２と、キーボード１３と、液晶ディスプレイ１４と、通信インターフェース１５とを備える。
【００１６】
プロセッサ１１は、情報提供装置１００の全体の動作を制御する。プロセッサ１１は、例えば、ＲＯＭ（Read Only Memory）、ＲＡＭ（Random Access Memory）、ＲＴＣ（Real Time Clock）などを内蔵したＣＰＵ（Central Processing Unit）である。なお、ＣＰＵは、例えば、ＲＯＭに格納されている基本プログラムに従って動作し、ＲＡＭをワークエリアとして使用する。
【００１７】
ハードディスク１２は、各種の情報を記憶する。ハードディスク１２は、例えば、プロセッサ１１が実行するプログラムを記憶する。また、ハードディスク１２は、情報提供処理で用いる各種のデータを記憶する。キーボード１３は、ユーザによりなされた操作を検知し、検知の結果を示す信号をプロセッサ１１に供給する。
【００１８】
液晶ディスプレイ１４は、プロセッサ１１による制御に従って、情報を表示する。つまり、キーボード１３と液晶ディスプレイ１４とは、ユーザインターフェースである。通信インターフェース１５は、情報提供装置１００を通信ネットワーク３００に接続するための通信インターフェースである。通信インターフェース１５は、例えば、ＮＩＣ（Network Interface Card）である。
【００１９】
端末装置２００は、ユーザが使用する装置である。端末装置２００は、端末装置２００による要求に従って情報提供装置１００が生成した第２分布情報を、通信ネットワーク３００を介して情報提供装置１００から受信する。図１に示すように、端末装置２００は、物理的には、プロセッサ２１と、フラッシュメモリ２２と、タッチスクリーン２３と、通信インターフェース２４とを備える。
【００２０】
プロセッサ２１は、端末装置２００の全体の動作を制御する。プロセッサ２１は、例えば、ＲＯＭ、ＲＡＭ、ＲＴＣなどを内蔵したＣＰＵである。なお、ＣＰＵは、例えば、ＲＯＭに格納されている基本プログラムに従って動作し、ＲＡＭをワークエリアとして使用する。フラッシュメモリ２２は、各種の情報を記憶する不揮発性メモリである。フラッシュメモリ２２は、例えば、プロセッサ２１が実行するプログラムを記憶する。
【００２１】
タッチスクリーン２３は、ユーザによりなされた操作を検知し、検知の結果を示す信号をプロセッサ２１に供給する。また、タッチスクリーン２３は、プロセッサ２１による制御に従って、情報を表示する。通信インターフェース２４は、端末装置２００を通信ネットワーク３００に接続するための通信インターフェースである。通信インターフェース２４は、例えば、ＮＩＣである。
【００２２】
通信ネットワーク３００は、広域ネットワークであり、例えば、インターネットである。通信ネットワーク３００は、情報提供装置１００と端末装置２００とを相互に接続する。
【００２３】
次に、図２を参照して、情報提供システム１０００の機能について説明する。図２に示すように、情報提供システム１０００は、機能的には、分布情報記憶部１０１と、設置位置記憶部１０２と、レイアウト記憶部１０３と、物品位置記憶部１０４と、対応関係記憶部１０５と、取得情報受信部１０６と、取得情報判別部１０７と、重要度決定部１０８と、分布情報生成部１０９と、分布情報送信部１１０とを備える。
【００２４】
分布情報記憶手段は、例えば、分布情報記憶部１０１に対応する。設置位置記憶手段は、例えば、設置位置記憶部１０２に対応する。物品位置記憶手段は、例えば、物品位置記憶部１０４に対応する。対応関係記憶手段は、例えば、対応関係記憶部１０５に対応する。取得情報受信手段は、例えば、取得情報受信部１０６に対応する。取得情報判別手段は、例えば、取得情報判別部１０７に対応する。重要度決定手段は、例えば、重要度決定部１０８に対応する。分布情報生成部手段は、例えば、分布情報生成部１０９に対応する。分布情報送信手段は、例えば、分布情報送信部１１０に対応する。
【００２５】
分布情報記憶部１０１は、空気の状態を示すパラメータの倉庫内における分布を示す情報である第１分布情報を記憶する。倉庫は、例えば、物品を低温で保管する低温倉庫である。物品は、例えば、冷凍保存される魚介類である。第１分布情報は、倉庫内の各地点における上記パラメータを示す情報である。つまり、第１分布情報は、倉庫内の各地点におけるパラメータの集合体である。このパラメータは、例えば、倉庫内に設けられたセンサが出力するセンサ値、又は、このセンサ値に基づいてシミュレーションするシミュレータが出力する算出値である。
【００２６】
第１分布情報は、上記パラメータの倉庫内における分布を示す情報であれば、どのような形式であってもよい。第１分布情報は、例えば、図４に示すように、温度ＩＤとＸ座標［ｍ］とＹ座標［ｍ］とＺ座標［ｍ］と温度［度］とを備えるレコードにより、倉庫内の温度の分布を示す情報である。１つのレコードは、倉庫内の１つの地点における温度を示す。本実施形態では、各地点は、Ｘ座標［ｍ］とＹ座標［ｍ］とＺ座標［ｍ］とを含む直交座標によりに示される。なお、Ｚ軸は、鉛直方向と平行な軸である。Ｘ軸は、Ｚ軸と直交する軸である。Ｙ軸は、Ｘ軸とＺ軸とに直交する軸である。
【００２７】
倉庫内の温度は、例えば、Ｘ軸方向とＹ軸方向とＺ軸方向とのそれぞれについて１ｍ間隔で管理される。ここで、例えば、倉庫のＸ軸方向の長さが５０ｍ、倉庫のＹ軸方向の長さが２０ｍ、倉庫のＺ軸方向の長さが１０ｍであるものとする。この場合、レコードの個数は、５０×２０×１０＝１００００個程度である。つまり、第１分布情報は、膨大な量の情報である。
【００２８】
ただし、本実施形態では、図面を用いた説明での理解を容易にするため、倉庫内の温度は、Ｘ軸方向とＹ軸方向とについては２ｍ間隔、Ｚ軸方向については３ｍ間隔で管理されているものとする。また、倉庫のＸ軸方向の長さが１８ｍ、倉庫のＹ軸方向の長さが８ｍ、倉庫のＺ軸方向の長さが１２ｍであるものとする。そして、レコードの個数は、９×４×４＝１４４個程度であるものとする。この場合、第１分布情報は、倉庫内における温度の分布を、倉庫内の全領域に亘って、２×２×３＝１２立方ｍ当たり１つの温度という密度で示す情報であるものとする。分布情報記憶部１０１の機能は、例えば、ハードディスク１２の機能により実現される。
【００２９】
設置位置記憶部１０２は、倉庫内における空調機の設置位置を示す情報である設置位置情報を記憶する。設置位置情報は、空調機の位置を示す情報であれば、どのような形式であってもよい。本実施形態では、図５に示すように、設置位置情報が、設置位置ＩＤとＸ座標［ｍ］とＹ座標［ｍ］とＺ座標［ｍ］とを備えるレコードにより、空調機の位置を示す情報である。１つのレコードは、倉庫内の空間を１ｍ間隔の立方格子状に分割した場合において、空調機が含まれる１つの立方格子の座標を示す。
【００３０】
この座標は、立方格子の中心位置を示す座標でもよいし、立方格子が備える８つの頂点のうちのいずれかの座標でもよい。本実施形態では、設置位置情報は、このようなレコードにより空調機の位置を示すため、１つの空調機に対して複数のレコードが設けられることがある。設置位置記憶部１０２の機能は、例えば、ハードディスク１２の機能により実現される。
【００３１】
レイアウト記憶部１０３は、倉庫のレイアウトを示す情報であるレイアウト情報を記憶する。レイアウト情報は、倉庫のレイアウトを示す情報であれば、どのような形式であってもよい。レイアウト情報は、例えば、倉庫の隅の座標、倉庫の端の座標、倉庫の出入口の座標を示す情報である。倉庫の隅には、狭義の倉庫の隅と、広義の倉庫の隅とがある。狭義の倉庫の隅は、例えば、倉庫がほぼ直方体である場合、この直方体が備える６つの面のうち３つの面が交差する８つの頂点からの距離が閾値以下の部分である。広義の倉庫の隅は、上記６つの面のうち２つの面が交差する８つの線分からの距離が閾値以下の部分である。また、倉庫の端は、上記６つの面からの距離が閾値以下の部分である。レイアウト記憶部１０３の機能は、例えば、ハードディスク１２の機能により実現される。
【００３２】
物品位置記憶部１０４は、倉庫内における物品の位置を示す情報である物品位置情報を記憶する。物品位置情報は、物品の位置を示す情報であれば、どのような形式であってもよい。本実施形態では、図６に示すように、物品位置情報が、物品位置ＩＤとＸ座標［ｍ］とＹ座標［ｍ］とＺ座標［ｍ］とを備えるレコードにより、物品の位置を示す情報である。１つのレコードは、倉庫内の空間を１ｍ間隔の立方格子状に分割した場合において、物品が含まれる１つの立方格子の座標を示す。本実施形態では、物品位置情報は、このようなレコードにより物品の位置を示すため、１つの物品に対して複数のレコードが設けられることがある。物品位置記憶部１０４の機能は、例えば、ハードディスク１２の機能により実現される。
【００３３】
対応関係記憶部１０５は、ユーザ識別情報とユーザ分類情報とが対応付けられた対応関係情報を記憶する。ユーザ識別情報は、ユーザを識別するための情報である。ユーザ識別情報は、例えば、ユーザの氏名、ユーザのＩＤを示す情報である。ユーザ分類情報は、ユーザ分類を示す情報である。ユーザ分類は、例えば、ユーザの役割、ユーザの権限である。本実施形態では、図７に示すように、対応関係情報が、ユーザＩＤとユーザ分類とを備えるレコードにより、ユーザ分類を示す情報である。
【００３４】
図７には、ユーザ分類として、設備保守員と物品管理者とがあることを示している。設備保守員は、倉庫内に設置される空調機を保守する役割を担う人である。つまり、設備保守員は、空調機の管理者である。設備保守員は、例えば、空調管理に関わる所望の領域のパラメータが保証範囲内であるかを確認する人である。物品管理者は、倉庫内で管理される物品を管理する役割を担う人である。物品管理者は、例えば、物品管理に関わる所望の領域のパラメータが保証範囲内であるかを確認する人である。対応関係記憶部１０５の機能は、例えば、ハードディスク１２の機能により実現される。
【００３５】
取得情報受信部１０６は、端末装置２００が取得した情報である取得情報を端末装置２００から受信する。取得情報は、例えば、ユーザ識別情報である。取得情報受信部１０６の機能は、例えば、通信インターフェース１５の機能により実現される。
【００３６】
取得情報判別部１０７は、取得情報受信部１０６が受信した取得情報を判別する。例えば、取得情報判別部１０７は、取得情報が、倉庫内に配置される空調機による空調管理に対応する情報であるか否かを判別する。具体的には、対応関係情報において、取得情報に含まれるユーザ識別情報に対応付けられたユーザ分類情報により示される分類が、空調機の管理者を示す分類である場合、取得情報が空調管理に対応する情報であると判別する。
【００３７】
また、取得情報判別部１０７は、取得情報が、倉庫内に配置される物品に対する物品管理に対応する情報であるか否かを判別する。具体的には、対応関係情報において、取得情報に含まれるユーザ識別情報に対応付けられたユーザ分類情報により示される分類が、物品の管理者を示す分類である場合、取得情報が物品管理に対応する情報であると判別する。取得情報判別部１０７の機能は、例えば、プロセッサ１１の機能により実現される。
【００３８】
重要度決定部１０８は、取得情報受信手段が受信した取得情報に基づいて、倉庫内における領域毎に、上記パラメータの重要度を決定する。この重要度は、閲覧の必要性の程度であり、ユーザにとって上記パラメータがどの程度重要であるかの度合いである。ここで、ユーザが注目する倉庫内の領域は、ユーザが担う役割によって異なることが多い。そこで、重要度決定部１０８は、ユーザが担う役割に応じて、倉庫内の領域毎に重要度を決定する。なお、ユーザが担う役割は、取得情報に含まれるユーザ識別情報と対応関係情報とから算出可能である。
【００３９】
重要度決定部１０８は、取得情報が空調管理に対応する情報であると判別された場合、空調管理に対応付けられた領域に対する上記パラメータの重要度として第１重要度を決定し、空調管理に対応付けられていない領域に対する上記パラメータの重要度として第２重要度を決定する。なお、第２重要度は、第１重要度よりも低い。つまり、重要度決定部１０８は、ユーザが空調管理に携わる人である場合、空調管理に深く関わる領域に対して、高い重要度を決定する。一方、重要度決定部１０８は、ユーザが空調管理に携わる人である場合、空調管理に深く関わらない領域に対して、低い重要度を決定する。
【００４０】
具体的には、重要度決定部１０８は、取得情報が空調管理に対応する情報であると判別された場合、設置位置記憶部１０２に記憶された設置位置情報に基づいて、空調機から近い領域に対する上記パラメータの重要度として第１重要度を決定する。一方、重要度決定部１０８は、空調機から遠い領域に対する上記パラメータの重要度として第２重要度を決定する。なお、空調機から近い領域とは、空調機からの距離が予め定められた閾値以下の領域である。一方、空調機から遠い領域とは、空調機からの距離が予め定められた閾値を超える領域である。
【００４１】
また、重要度決定部１０８は、取得情報が空調管理に対応する情報であると判別された場合、レイアウト記憶部１０３に記憶されたレイアウト情報に基づいて、倉庫の隅から近い領域に対する上記パラメータの重要度として第１重要度を決定する。一方、重要度決定部１０８は、倉庫の隅から遠い領域に対する上記パラメータの重要度として第２重要度を決定する。なお、倉庫の隅から近い領域とは、倉庫の隅からの距離が予め定められた閾値以下の領域である。一方、倉庫の隅から遠い領域とは、倉庫の隅からの距離が予め定められた閾値を超える領域である。
【００４２】
なお、本実施形態では、重要度は、空調機と倉庫の隅とのそれぞれに関して、第１重要度と第２重要度との２段階で決定される。ここで、空調機に関して設定される重要度と倉庫の隅とに関して設定される重要度とが矛盾しないことが好適である。そこで、空調機又は倉庫の隅から近い領域に対して第１重要度が決定され、空調機及び倉庫の隅から遠い領域に対して第２重要度が決定される。ユーザが空調管理に携わる人である場合、空調機から近い領域と倉庫の隅から近い領域との双方の領域について、上記パラメータの詳細な分布状況を把握したいことが期待されるためである。
【００４３】
なお、空調機の近くの領域は、温度、湿度などのパラメータが激しく変化する領域であることが多い。つまり、空調機の近くの領域は、空調管理に携わるユーザにとって、パラメータの詳細な分布が所望される領域であることが多い。また、倉庫の隅の近くの領域は、温度、湿度などのパラメータが激しく変化する領域であることが多い。或いは、倉庫の隅の近くの領域は、空調による気流が届きにくい領域であり、温度、湿度などのパラメータが所望の値に到達しにくい領域であることが多い。つまり、倉庫の隅の近くの領域は、空調管理に携わるユーザにとって、パラメータの詳細な分布が所望される領域であることが多い。そこで、ユーザが空調管理に携わる人である場合、空調機又は倉庫の隅から近い領域に対しては、高い重要度が決定され、パラメータの詳細な分布が提供される。一方、他の領域に対しては、低い重要度が決定され、パラメータの大まかな分布が提供される。
【００４４】
また、重要度決定部１０８は、取得情報が物品管理に対応する情報であると判別された場合、物品管理に対応付けられた領域に対する上記パラメータの重要度として第１重要度を決定し、物品管理に対応付けられていない領域に対する上記パラメータの重要度として第２重要度を決定する。つまり、重要度決定部１０８は、ユーザが物品管理に携わる人である場合、物品管理に深く関わる領域に対して、高い重要度を決定する。一方、重要度決定部１０８は、ユーザが物品管理に携わる人である場合、物品管理に深く関わらない領域に対して、低い重要度を決定する。
【００４５】
具体的には、重要度決定部１０８は、取得情報が物品管理に対応する情報であると判別された場合、物品位置記憶部１０４に記憶された設置位置情報に基づいて、物品から近い領域に対する上記パラメータの重要度として第１重要度を決定する。一方、重要度決定部１０８は、物品から遠い領域に対する上記パラメータの重要度として第２重要度を決定する。なお、物品から近い領域とは、物品からの距離が予め定められた閾値以下の領域である。一方、物品から遠い領域とは、物品からの距離が予め定められた閾値を超える領域である。
【００４６】
ここで、ユーザが物品管理に携わる人である場合、物品から近い領域について、上記パラメータの詳細な分布状況を把握したいことが期待される。そこで、ユーザが物品管理に携わる人である場合、物品から近い領域に対しては、高い重要度が決定され、パラメータの詳細な分布が提供される。一方、他の領域に対しては、低い重要度が決定され、パラメータの大まかな分布が提供される。
【００４７】
なお、重要度決定部１０８により領域毎に決定される重要度は、どのように表現されてもよい。例えば、重要度は、高い、低いなどの度合いにより表現されてもよいし、１、２などの数値により表現されてもよい。また、後述するように、重要度は、パラメータの分布の密度に直結する概念である。つまり、決定された重要度が高い領域ほど、パラメータの分布の密度が高い。このため、重要度は、実質的に、密度と同義であると考えることができる。つまり、重要度決定部１０８は、領域毎に密度を決定する、密度決定部又は密度分布決定部と考えることができる。重要度決定部１０８の機能は、例えば、プロセッサ１１の機能により実現される。
【００４８】
分布情報生成部１０９は、分布情報記憶部１０１に記憶された第１分布情報から、第２分布情報を生成する。第２分布情報は、上記パラメータの倉庫内における分布を倉庫内における領域毎に領域に応じた密度で示す情報である。第２分布情報は、第１分布情報と同様に、倉庫内の各地点におけるパラメータの集合体である。ただし、第２分布情報は、パラメータの分布密度が領域毎に異なる点において、第１分布情報とは異なる。
【００４９】
第２分布情報は、上記パラメータの倉庫内における分布を示す情報であれば、どのような形式であってもよい。第２分布情報は、例えば、図８に示すように、温度ＩＤとＸ座標［ｍ］とＹ座標［ｍ］とＺ座標［ｍ］と温度［度］とを備えるレコードにより、倉庫内の温度の分布を示す情報である。１つのレコードは、倉庫内の１つの地点における温度を示す。本実施形態では、各地点は、Ｘ座標［ｍ］とＹ座標［ｍ］とＺ座標［ｍ］とを含む直交座標により示される。
【００５０】
本実施形態では、第１重要度が決定された領域については、Ｘ軸方向とＹ軸方向とＺ軸方向とのいずれに関してもパラメータが間引かれないものとする。また、第２重要度が決定された領域については、Ｘ軸方向に関してはパラメータが１／２に間引かれ、Ｙ軸方向に関してはパラメータが１／３に間引かれ、Ｚ軸方向に関してはパラメータが間引かれないものとする。この場合、仮に、全ての領域に対して第２重要度が決定されると、第１分布情報から第２分布情報が生成される際に、パラメータの個数は間引きにより１／６になる。図８は、温度ＩＤが１から４及び１３のパラメータが間引かれず、温度ＩＤが５から１２のパラメータが間引かれた例を示している。
【００５１】
分布情報生成部１０９は、パラメータの重要度として第１重要度が決定された領域における上記パラメータの密度が、パラメータの重要度として第１重要度よりも低い第２重要度が決定された領域における上記パラメータの密度よりも高い第２分布情報を生成する。つまり、分布情報生成部１０９は、パラメータが重要である領域ではパラメータの分布の密度が高く、パラメータが重要でない領域ではパラメータの分布の密度が低くなるように、第２分布情報を生成する。分布情報生成部１０９の機能は、例えば、プロセッサ１１の機能により実現される。
【００５２】
分布情報送信部１１０は、分布情報生成部１０９により生成された第２分布情報を、端末装置２００に送信する。分布情報送信部１１０は、通信ネットワーク３００を介して、第２分布情報を端末装置２００に送信する。分布情報送信部１１０の機能は、例えば、プロセッサ１１と通信インターフェース１５とが協働することにより実現される。
【００５３】
次に、図３を参照して、端末装置２００の機能について説明する。図３に示すように、端末装置２００は、機能的には、取得情報取得部２０１と、取得情報送信部２０２と、分布情報受信部２０３と、分布情報表示部２０４とを備える。分布情報受信手段は、例えば、分布情報受信部２０３に対応する。分布情報表示手段は、例えば、分布情報表示部２０４に対応する。
【００５４】
取得情報取得部２０１は、取得情報を取得する。例えば、取得情報取得部２０１は、ユーザから操作を受け付け、受け付けた操作に応じてユーザを識別するためのユーザ識別情報を含む取得情報を生成する。なお、この操作は、例えば、ユーザのＩＤの入力操作である。取得情報取得部２０１は、例えば、プロセッサ２１とタッチスクリーン２３とが協働することにより実現される。
【００５５】
取得情報送信部２０２は、取得情報取得部２０１により取得された取得情報を、情報提供装置１００に送信する。例えば、取得情報送信部２０２は、この取得情報を、通信ネットワーク３００を介して、情報提供装置１００に送信する。取得情報送信部２０２の機能は、例えば、プロセッサ２１と通信インターフェース２４とが協働することにより実現される。
【００５６】
分布情報受信部２０３は、分布情報送信部１１０から第２分布情報を受信する。例えば、分布情報受信部２０３は、通信ネットワーク３００を介して、分布情報送信部１１０から第２分布情報を受信する。分布情報受信部２０３の機能は、例えば、通信インターフェース２４の機能により実現される。
【００５７】
分布情報表示部２０４は、分布情報受信部２０３が受信した第２分布情報に基づいて、上記パラメータの倉庫内における分布を倉庫内における領域毎に領域に応じた密度で示す画面を表示する。この画面は、例えば、２次元表示又は３次元表示により、倉庫内における各地点のパラメータを倉庫内における領域に応じた密度で示す画面である。なお、パラメータの値は、例えば、画面上において、図形の色、図形の大きさ、数値、文字列などにより示される。
【００５８】
例えば、パラメータである温度を図形の色で表現する場合、−３０度未満の温度を紫色、−３０以上−２０度未満の温度を青色、−２０以上−１０度未満の温度を緑色、−１０以上−０度未満の温度を黄色、０度以上１０度未満の温度を橙色、１０度以上の温度を赤色で表現することができる。例えば、パラメータである温度を図形の大きさで表現する場合、高い温度ほど大きな図形で表現することができる。分布情報表示部２０４の機能は、例えば、プロセッサ２１とタッチスクリーン２３とが協働することにより実現される。
【００５９】
次に、図９のフローチャートを参照して、情報提供装置１００が実行する情報提供処理について説明する。なお、情報提供装置１００が実行する情報提供方法は、情報提供処理の実行により実現される。情報提供装置１００は、例えば、電源が投入されたことに応答して、情報提供処理の実行を開始する。なお、情報提供処理の実行に先立って、ハードディスク１２には、第１分布情報、設置位置情報、レイアウト情報、物品位置情報、対応関係情報が記憶されているものとする。
【００６０】
まず、プロセッサ１１は、端末装置２００から要求情報を受信したか否かを判別する（ステップＳ１０１）。例えば、プロセッサ１１は、通信インターフェース１５から供給される情報に基づいて、通信インターフェース１５が要求情報を受信したか否かを判別する。要求情報は、第２分布情報の送信を要求する情報であり、端末装置２００が送信する情報である。プロセッサ１１は、端末装置２００から要求情報を受信していないと判別すると（ステップＳ１０１：ＮＯ）、ステップＳ１０１に処理を戻す。
【００６１】
プロセッサ１１は、端末装置２００から要求情報を受信したと判別すると（ステップＳ１０１：ＹＥＳ）、ユーザ識別情報を取得する（ステップＳ１０２）。例えば、通信インターフェース１５が、要求情報とともにユーザ識別情報を含む取得情報を端末装置２００から受信した場合、プロセッサ１１は、このユーザ識別情報を通信インターフェース１５から取得する。
【００６２】
プロセッサ１１は、ステップＳ１０２の処理を完了すると、ユーザが設備保守員であるか否かを判別する（ステップＳ１０３）。例えば、プロセッサ１１は、対応関係情報とユーザ識別情報とに基づいて、ユーザが設備保守員であるか否かを判別する。例えば、対応関係情報において、取得されたユーザ識別情報に対応付けられたユーザ分類情報により、ユーザ分類として設備保守員が示される場合、ユーザが設備保守員であると判別される。一方、例えば、対応関係情報において、取得されたユーザ識別情報に対応付けられたユーザ分類情報により、ユーザ分類として物品管理者が示される場合、ユーザが設備保守員でないと判別される。なお、本実施形態では、ユーザは、設備保守員と物品管理者とのいずれかに分類されるものとする。
【００６３】
プロセッサ１１は、ユーザが設備保守員であると判別すると（ステップＳ１０３：ＹＥＳ）、空調機の設置位置を特定する（ステップＳ１０４）。例えば、プロセッサ１１は、設置位置情報を参照して、空調機の設置位置を特定する。プロセッサ１１は、ステップＳ１０４の処理を完了すると、倉庫の隅の位置を特定する（ステップＳ１０５）。例えば、プロセッサ１１は、レイアウト情報を参照して、倉庫の隅の位置を特定する。
【００６４】
プロセッサ１１は、ステップＳ１０５の処理を完了すると、空調機又は倉庫の隅付近の重要度が高い重要度分布を決定する（ステップＳ１０６）。つまり、プロセッサ１１は、空調機から近い領域、又は、倉庫の隅から近い領域に対しては、パラメータの重要度として、第１の重要度を決定する。一方、プロセッサ１１は、空調機と倉庫の隅とのいずれからも遠い領域に対しては、パラメータの重要度として、第２の重要度を決定する。そして、プロセッサ１１は、倉庫内の全ての領域に対して、パラメータの重要度として、第１の重要度又は第２の重要度を決定する。なお、重要度分布は、倉庫内における全ての領域に対して決定された重要度の分布である。
【００６５】
一方、プロセッサ１１は、ユーザが設備保守員でないと判別すると（ステップＳ１０３：ＮＯ）、物品の位置を特定する（ステップＳ１０７）。例えば、プロセッサ１１は、物品位置情報を参照して、物品の位置を特定する。プロセッサ１１は、ステップＳ１０７の処理を完了すると、物品付近の重要度が高い重要度分布を決定する（ステップＳ１０８）。つまり、プロセッサ１１は、物品から近い領域に対しては、パラメータの重要度として、第１の重要度を決定する。一方、プロセッサ１１は、物品から遠い領域に対しては、パラメータの重要度として、第２の重要度を決定する。そして、プロセッサ１１は、倉庫内の全ての領域に対して、パラメータの重要度として、第１の重要度又は第２の重要度を決定する。
【００６６】
プロセッサ１１は、ステップＳ１０６又はステップＳ１０８の処理を完了すると、重要度分布に基づいて第２分布情報を生成する（ステップＳ１０９）。例えば、プロセッサ１１は、第１分布情報により示されるレコードから、倉庫内の領域毎に、領域毎の重要度に応じた間引き率でレコードを間引くことにより、第２分布情報を生成する。
【００６７】
プロセッサ１１は、ステップＳ１０９の処理を完了すると、第２分布情報を端末装置２００に送信する（ステップＳ１１０）。プロセッサ１１は、例えば、通信インターフェース１５を制御して、通信ネットワーク３００を介して、第２分布情報を端末装置２００に送信する。プロセッサ１１は、ステップＳ１１０の処理を完了すると、ステップＳ１０１に処理を戻す。
【００６８】
次に、図１０のフローチャートを参照して、端末装置２００が実行する表示処理について説明する。端末装置２００は、例えば、電源が投入されたことに応答して、表示処理の実行を開始する。
【００６９】
まず、プロセッサ２１は、ユーザによる表示要求があるか否かを判別する（ステップＳ２０１）。例えば、プロセッサ２１は、タッチスクリーン２３に対して、表示要求に対応する操作がなされたか否かを判別する。なお、表示要求は、パラメータの倉庫内における分布を示す画面を表示することの要求である。ユーザは、例えば、パラメータの倉庫内における分布を確認したい場合、タッチスクリーン２３に対して表示要求に対応する操作を実行する。プロセッサ２１は、ユーザによる表示要求がないと判別すると（ステップＳ２０１：ＮＯ）、ステップＳ２０１に処理を戻す。
【００７０】
プロセッサ２１は、ユーザによる表示要求があると判別すると（ステップＳ２０１：ＹＥＳ）、ユーザ識別情報を取得する（ステップＳ２０２）。例えば、プロセッサ２１は、ユーザＩＤの入力を促す画面を、タッチスクリーン２３に表示させる。そして、プロセッサ２１は、ユーザにより入力されたユーザＩＤを示すユーザ識別情報を生成する。
【００７１】
プロセッサ２１は、ステップＳ２０２の処理を完了すると、ユーザ識別情報を情報提供装置１００に送信する（ステップＳ２０３）。例えば、プロセッサ２１は、通信インターフェース２４を制御して、通信ネットワーク３００を介して、ユーザ識別情報を含む取得情報を情報提供装置１００に送信する。
【００７２】
プロセッサ２１は、ステップＳ２０３の処理を完了すると、第２分布情報を情報提供装置１００から受信する（ステップＳ２０４）。例えば、プロセッサ２１は、通信インターフェース２４が情報提供装置１００から受信した第２分布情報を、通信インターフェース２４から取得する。
【００７３】
プロセッサ２１は、ステップＳ２０４の処理を完了すると、温度分布を示す画面を表示する（ステップＳ２０５）。例えば、プロセッサ２１は、第２分布情報により示される倉庫内における温度分布を示す画面を、タッチスクリーン２３に表示させる。プロセッサ２１は、ステップＳ２０５の処理を完了すると、ステップＳ２０１に処理を戻す。
【００７４】
次に、図１１を参照して、倉庫５００内における温度分布を３次元表示で示す画面のうち、設備保守員に対して表示される画面４００について説明する。設備保守員は、空調管理に深く関わる領域における温度分布を詳細に確認したいという要望があると考えられる。このため画面４００は、空調管理に深く関わる領域、つまり、空調機５１０又は倉庫５００の隅から近い領域において温度の表示密度が高い画面である。画面４００は、言い換えれば、空調管理に深く関わらない領域、つまり、空調機５１０及び倉庫５００の隅から遠い領域において温度の表示密度が低い画面である。
【００７５】
図１１において、図形６００Ａと図形６００Ｂとは、倉庫５００内における位置とその位置における温度とを示す図形である。図形６００Ａは、黒い丸で示される図形であり、図形６００Ａを含む領域に対して決定された重要度にかかわらず表示される図形である。つまり、図形６００Ａは、必ず温度が表示される位置の温度を示す図形である。一方、図形６００Ｂは、白い丸で示される図形であり、図形６００Ｂを含む領域に対して決定された重要度が第１重要度であるときに表示される図形である。つまり、図形６００Ｂは、重要度が低いときには温度が表示されない位置の温度を示す図形である。図１１に示すように、図形６００Ｂは、空調機５１０の近く、又は、倉庫５００の隅の近くのみに配置される。
【００７６】
図１１において、Ｘ軸方向に延びる１６本の破線と、Ｙ軸方向に延びる３６本の破線と、Ｚ軸方向に延びる３６本の破線とが交わる１４４個の交点は、第１分布情報により温度が示される位置に対応する。つまり、第１分布情報は、この１４４個の交点における温度を示す情報である。一方、１４４個の交点のうち、図形６００Ａ又は図形６００Ｂが配置された点は、第２分布情報により温度が示される位置に対応する。つまり、第２分布情報は、この図形６００Ａ又は図形６００Ｂが配置された点における温度を示す情報である。以下、図形６００Ａと図形６００Ｂとを総称して、図形６００という。
【００７７】
次に、図１２を参照して、空調機５１０又は倉庫５００の隅５２０に近い領域でパラメータの分布の密度が高い理由について説明する。なお、図１２は、１４４個の交点のうちＺ軸の座標が最も高い平面上の３６個の交点のみについて示している。
【００７８】
本実施形態では、第１分布情報から第２分布情報が生成される際、重要度にかかわらず、Ｘ軸方向に関しては、２点につき１点は間引きされず、Ｙ軸方向に関しては、少なくとも３点につき１点は間引きされず、Ｚ軸方向に関しては、間引きされない。このため、図１２に示す３６個の交点のうち、図形６００Ａにより示される１０個の交点については、少なくとも、間引きされずに温度表示される。
【００７９】
また、本実施形態では、第１分布情報から第２分布情報が生成される際、第１重要度が付与された領域では、Ｘ軸方向とＺ軸方向とＹ軸方向とのいずれの方向に関しても、間引きされない。このため、図１２に示す３６個の交点のうち、図形６００Ｂにより示される１５個の交点については、間引きされずに温度表示される。
【００８０】
例えば、空調機５１０からの距離が閾値以内である領域を領域７１０とする。なお、この閾値は、例えば、２ｍである。この場合、領域７１０に含まれる４つの交点については、間引きされずに温度表示される。また、隅５２０Ａからの距離が閾値以内である領域を領域７２０Ａ、隅５２０Ｂからの距離が閾値以内である領域を領域７２０Ｂ、隅５２０Ｃからの距離が閾値以内である領域を領域７２０Ｃ、隅５２０Ｄからの距離が閾値以内である領域を領域７２０Ｄとする。なお、この閾値は、例えば、３ｍである。
【００８１】
この場合、領域７２０Ａに含まれる４つの交点、領域７２０Ｂに含まれる４つの交点、領域７２０Ｃに含まれる４つの交点、領域７２０Ｄに含まれる４つの交点については、間引きされずに温度表示される。なお、隅５２０Ａと隅５２０Ｂと隅５２０Ｃと隅５２０Ｄとを総称して、適宜、隅５２０という。また、領域７２０Ａと領域７２０Ｂと領域７２０Ｃと領域７２０Ｄとを総称して、適宜、領域７２０という。一方、領域７１０及び領域７２０以外の領域である領域７００に関しては、図形６００Ａにより示される交点のみについて温度が表示される。
【００８２】
次に、図１３を参照して、倉庫５００内における温度分布を３次元表示で示す画面のうち、物品管理者に対して表示される画面４１０について説明する。物品管理者は、物品管理に深く関わる領域における温度分布を詳細に確認したいという要望があると考えられる。このため画面４１０は、物品管理に深く関わる領域、つまり、物品５４０から近い領域において温度の表示密度が高い画面である。画面４１０は、言い換えれば、物品管理に深く関わらない領域、つまり、物品５４０から遠い領域において温度の表示密度が低い画面である。
【００８３】
なお、図１３に、倉庫５００内に棚５３０が設置され、この棚５３０に物品５４０が保管されている様子を示す。図１３には、理解を容易にするため、棚５３０の内部に１つの物品５４０のみを示しているが、棚５３０に多数の物品５４０が保管されているものとする。この場合、物品５４０から近い領域は、実質的に、棚５３０から近い領域とみなすことができる。つまり、棚５３０の外部の領域のうち棚５３０との距離が閾値以下の領域と、棚５３０の内部の領域とが、物品５４０から近い領域であるとみなすことができる。
【００８４】
図１３に示すように、図形６００Ａは、棚５３０との位置関係にかかわらず配置される。一方、図形６００Ｂは、棚５３０の内部又は棚５３０の近くのみに配置される。その結果、画面４１０では、物品５４０から近い領域において温度表示の密度が高く、物品５４０から遠い領域において温度表示の密度が低い。
【００８５】
本実施形態では、空気の状態を示すパラメータの倉庫５００内における分布を倉庫５００内における領域毎に領域に応じた密度で示す情報が生成される。従って、本実施形態によれば、パラメータの分布の表示のための通信負荷と処理負荷とを低減することができる。なお、本実施形態による手法を採用しない場合、以下に示すように、通信負荷と処理負荷とが大きいと考えられる。
【００８６】
すなわち、仮に、情報提供装置１００から端末装置２００に、第２分布情報ではなく第１分布情報を送信する場合、少なくとも第１分布情報の通信による通信負荷が大きい。また、仮に、端末装置２００が、第１分布情報から第２分布情報を生成し、第２分布情報に基づいてパラメータの分布を表示する場合、第２分布情報を生成する処理による処理負荷が大きい。また、仮に、端末装置２００が、第１分布情報に基づいてパラメータの分布を表示する場合、第１分布情報を表示する処理による処理負荷が大きい。
【００８７】
また、本実施形態では、取得情報に基づいて領域毎に決定された重要度に基づいて、領域毎にパラメータの密度が決定される。このため、パラメータの表示の必要性に応じて、領域毎に、適切な密度で、パラメータを表示することが可能となる。また、パラメータの表示の必要性が低い領域におけるパラメータの表示密度を低くすることにより、見やすさの向上が期待できる。また、パラメータの個数が少ないため、表示のための処理負荷が小さく、ユーザによるパラメータの閲覧時における操作感の低下が抑制される。
【００８８】
また、本実施形態では、取得情報に含まれるユーザ識別情報に基づいて、ユーザが注視する領域であるか否かが自動で判別され、判別結果に応じて、パラメータの密度が決定される。このため、ユーザの手間を増やさずに、ユーザが所望すると考えらえられる、パラメータの分布情報を提供することができる。特に、ユーザが設備保守員であると判別されると、空調管理に適した、パラメータの分布情報が提供される。一方、ユーザが物品管理者であると判別されると、物品管理に適した、パラメータの分布情報が提供される。
【００８９】
（実施形態２）
実施形態１では、空調機５１０の近くの領域７１０と倉庫５００の隅５２０の近くの領域７２０とが空調管理にとって重要な領域であることを前提にして、重要度分布を決定する例について説明した。本実施形態では、図１４を参照して、倉庫５００の端５５０の近くの領域７５０が空調管理にとって重要な領域であることを前提にして、重要度分布を決定する例について説明する。
【００９０】
なお、倉庫５００の端５５０の近くの領域は、温度、湿度などのパラメータが激しく変化する領域であることが多い。或いは、倉庫５００の端５５０の近くの領域は、空調による気流が届きにくい領域であり、温度、湿度などのパラメータが所望の値に到達しにくい領域であることが多い。つまり、倉庫５００の端５５０の近くの領域は、空調管理に携わるユーザにとって、パラメータの詳細な分布が所望される領域であることが多い。
【００９１】
そこで、本実施形態では、重要度決定部１０８は、取得情報が空調管理に対応する情報であると判別された場合、倉庫５００の端５５０から近い領域に対するパラメータの重要度として第１重要度を決定し、倉庫５００の端５５０から遠い領域に対するパラメータの重要度として第２重要度を決定する。なお、倉庫５００の端５５０から遠い領域は、倉庫５００の中央の領域である。
【００９２】
図１４は、倉庫５００の端５５０に近い領域でパラメータの分布の密度が高いことを示す図である。なお、図１４は、１４４個の交点のうちＺ軸の座標が最も高い平面上の３６個の交点のみについて示している。
【００９３】
本実施形態においても、第１分布情報から第２分布情報が生成される際、重要度にかかわらず、Ｘ軸方向に関しては、２点につき１点は間引きされず、Ｙ軸方向に関しては、少なくとも３点につき１点は間引きされず、Ｚ軸方向に関しては、間引きされない。このため、図１４に示す３６個の交点のうち、図形６００Ａにより示される１０個の交点については、少なくとも、間引きされずに温度表示される。
【００９４】
また、本実施形態では、第１分布情報から第２分布情報が生成される際、第１重要度が付与された領域では、Ｘ軸方向とＺ軸方向とＹ軸方向とのいずれの方向に関しても、間引きされない。このため、図１４に示す３６個の交点のうち、図形６００Ｂにより示される１２個の交点については、間引きされずに温度表示される。
【００９５】
ここで、倉庫５００の端５５０からの距離が閾値以内である領域を領域７５０とする。なお、この閾値は、例えば、１ｍである。この場合、領域７５０に含まれる２２個の交点については、間引きされずに温度表示される。一方、領域７５０以外の領域である領域７０１に関しては、図形６００Ａにより示される交点のみについて温度が表示される。ただし、図１４に示す例では、領域７０１には、図形６００Ａにより示される交点はない。
【００９６】
本実施形態では、ユーザが設備保守員であると判別されると、空調管理に適した、パラメータの分布情報が提供される。より詳細には、ユーザが設備保守員であると判別されると、設備保守員がパラメータの分布を詳細に確認したいと考えられる、倉庫５００の端５５０に近い領域について、パラメータの分布が詳細に表示される。このように、本実施形態によれば、設備保守員が所望するパラメータの分布情報が提供される。
【００９７】
（実施形態３）
実施形態２では、空調機５１０の端５５０の近くの領域７５０が空調管理にとって重要な領域であることを前提にして、重要度分布を決定する例について説明した。本実施形態では、図１５を参照して、倉庫５００の出入口５６０の近くの領域７６０が空調管理にとって重要な領域であることを前提にして、重要度分布を決定する例について説明する。
【００９８】
なお、倉庫５００の出入口５６０の近くの領域７６０は、温度、湿度などのパラメータが激しく変化する領域であることが多い。つまり、倉庫５００の出入口５６０の近くの領域７６０は、空調管理に携わるユーザにとって、パラメータの詳細な分布が所望される領域であることが多い。
【００９９】
そこで、本実施形態では、重要度決定部１０８は、取得情報が空調管理に対応する情報であると判別された場合、倉庫５００の出入口５６０から近い領域７６０に対するパラメータの重要度として第１重要度を決定し、倉庫５００の出入口５６０から遠い領域７０２に対するパラメータの重要度として第２重要度を決定する。
【０１００】
図１５は、倉庫５００の出入口５６０に近い領域でパラメータの分布の密度が高いことを示す図である。なお、図１５は、１４４個の交点のうちＺ軸の座標が最も高い平面上の３６個の交点のみについて示している。
【０１０１】
本実施形態においても、第１分布情報から第２分布情報が生成される際、重要度にかかわらず、Ｘ軸方向に関しては、２点につき１点は間引きされず、Ｙ軸方向に関しては、少なくとも３点につき１点は間引きされず、Ｚ軸方向に関しては、間引きされない。このため、図１５に示す３６個の交点のうち、図形６００Ａにより示される１０個の交点については、少なくとも、間引きされずに温度表示される。
【０１０２】
また、本実施形態では、第１分布情報から第２分布情報が生成される際、第１重要度が付与された領域では、Ｘ軸方向とＺ軸方向とＹ軸方向とのいずれの方向に関しても、間引きされない。このため、図１５に示す３６個の交点のうち、図形６００Ｂにより示される５個の交点については、間引きされずに温度表示される。
【０１０３】
倉庫５００の出入口５６０からの距離が閾値以内である領域を領域７６０とする。なお、この閾値は、例えば、３ｍである。この場合、領域７６０に含まれる６個の交点については、間引きされずに温度表示される。一方、領域７６０以外の領域である領域７０２に関しては、図形６００Ａにより示される交点のみについて温度が表示される。ただし、図１５に示す例では、領域７０２には、図形６００Ａにより示される交点はない。
【０１０４】
本実施形態では、ユーザが設備保守員であると判別されると、空調管理に適した、パラメータの分布情報が提供される。より詳細には、ユーザが設備保守員であると判別されると、設備保守員がパラメータの分布を詳細に確認したいと考えられる、倉庫５００の出入口５６０に近い領域７６０について、パラメータの分布が詳細に表示される。このように、本実施形態によれば、設備保守員が所望するパラメータの分布情報が提供される。
【０１０５】
（実施形態４）
実施形態１では、情報提供システム１０００が、情報提供装置１００を備え、端末装置２００を備えない例について説明した。本実施形態では、図１６に示すように、情報提供システム１１００が、情報提供装置１２０と端末装置２２０とを備える例について説明する。情報提供システム１１００は、情報を表示する機能を有するため、情報表示システムと考えることもできる。なお、実施形態１と同様の構成又は機能について、説明を省略又は簡略化する。
【０１０６】
図１６に示すように、情報提供装置１２０は、機能的には、情報提供装置１００が備える構成に加え、性能情報取得部１１１を更に備える。なお、性能情報取得手段は、例えば、性能情報取得部１１１に対応する。
【０１０７】
性能情報取得部１１１は、端末装置２２０の通信速度と端末装置２２０の処理速度とのうちの少なくとも一方を示す情報である性能情報を取得する。例えば、性能情報取得部１１１は、通信ネットワーク３００を介して、端末装置２２０からこの性能情報を受信する。端末装置２２０の通信速度は、例えば、端末装置２２０が備える通信インターフェース２４による通信ネットワーク３００を介した通信における通信速度である。端末装置２２０の処理速度は、例えば、端末装置２２０が備えるプロセッサ２１及びタッチスクリーン２３の処理速度であり、第２の分布情報に基づいて画面４００又は画面４１０を表示する処理における処理速度である。性能情報取得部１１１の機能は、例えば、プロセッサ１１と通信インターフェース１５とが協働することにより実現される。
【０１０８】
ここで、分布情報生成部１０９は、性能情報取得部１１１が取得した性能情報に応じて、第１密度と第２密度とのうち少なくとも一方の密度を変化させる。第１密度は、パラメータの重要度として第１重要度が決定された領域におけるパラメータの密度である。第２密度は、パラメータの重要度として第１重要度よりも低い第２重要度が決定された領域におけるパラメータの密度である。例えば、分布情報生成部１０９は、端末装置２２０の通信速度又は処理速度が遅いほど、第１密度と第２密度とのうちの少なくとも一方の密度を低くする。なお、密度を低くすることは、パラメータの間引き率を高くすることである。
【０１０９】
例えば、端末装置２２０の通信速度及び処理速度が十分に早い場合に、第１密度が１立方ｍあたり１個の温度であり、第２密度が１立方ｍあたり１／６個の温度であるものとする。ここで、端末装置２２０の通信速度又は処理速度が低い場合、これらの密度を採用すると、第２の分布情報の通信に時間がかかり過ぎたり、画面４００又は画面４１０の表示に時間を要しすぎたりする可能性が高い。
【０１１０】
そこで、このような場合、例えば、第２密度を低く設定し、第２密度を１立方ｍあたり１／１２個の温度とすることが好適である。或いは、例えば、第１密度と第２密度とを低く設定し、第１密度を１立方ｍあたり１／２個の温度とし、第２密度を１立方ｍあたり１／１２個の温度とすることが好適である。或いは、例えば、第１密度を低く設定し、第１密度を１立方ｍあたり１／２個の温度とすることが好適である。
【０１１１】
図１６に示すように、端末装置２２０は、機能的には、端末装置２００が備える構成に加え、性能情報送信部２０５を更に備える。性能情報送信部２０５は、通信ネットワーク３００を介して、性能情報を情報提供装置１２０に送信する。性能情報送信部２０５の機能は、例えば、プロセッサ２１と通信インターフェース２４とが協働することにより実現される。
【０１１２】
本実施形態では、情報提供装置１２０から端末装置２２０に送信される第２分布情報の情報量が、端末装置２２０の性能に合わせて調整される。従って、本実施形態によれば、端末装置２２０に処理負担をかけない範囲で、パラメータの分布を詳細に表示することが期待できる。
【０１１３】
（実施形態５）
実施形態１では、情報提供システム１０００が、１つの装置である情報提供装置１００を備える例について説明した。本実施形態では、図１７に示すように、情報提供システム１２００が、複数の装置とこれらの複数の装置を相互に接続する通信ネットワーク３００とを備える例について説明する。つまり、本実施形態では、情報提供システム１２００に対応するクラウドにより、情報提供システム１０００が提供するサービスと同様のサービスが提供される例について説明する。
【０１１４】
この場合、例えば、情報提供システム１２００は、分布情報データベース１２１と、設置位置データベース１２２と、レイアウトデータベース１２３と、物品位置データベース１２４と、対応関係データベース１２５と、取得情報判別サーバ１２７と、重要度決定サーバ１２８と、分布情報生成サーバ１２９とを備える。これらのデータベース及びサーバは、例えば、プロセッサ１１とハードディスク１２と通信インターフェース１５と同様の構成を備える。
【０１１５】
分布情報記憶手段は、例えば、分布情報データベース１２１に対応する。設置位置記憶手段は、例えば、設置位置データベース１２２に対応する。物品位置記憶手段は、例えば、物品位置データベース１２４に対応する。対応関係記憶手段は、例えば、対応関係データベース１２５に対応する。取得情報判別手段は、例えば、取得情報判別サーバ１２７に対応する。重要度決定手段は、例えば、重要度決定サーバ１２８に対応する。分布情報生成手段は、例えば、分布情報生成サーバ１２９に対応する。
【０１１６】
分布情報データベース１２１は、分布情報記憶部１０１と同様に、第１分布情報を記憶する。設置位置データベース１２２は、設置位置記憶部１０２と同様に、設置位置情報を記憶する。レイアウトデータベース１２３は、レイアウト記憶部１０３と同様に、レイアウト情報を記憶する。物品位置データベース１２４は、物品位置記憶部１０４と同様に、物品位置情報を記憶する。対応関係データベース１２５は、対応関係記憶部１０５と同様に、対応関係情報を記憶する。取得情報判別サーバ１２７は、取得情報判別部１０７と同様に、取得情報を判別する。重要度決定サーバ１２８は、重要度決定部１０８と同様に、重要度を決定する。分布情報生成サーバ１２９は、分布情報生成部１０９と同様に第１分布情報から第２分布情報を生成する。
【０１１７】
端末装置２００は、通信ネットワーク３００を介して、情報提供システム１２００に取得情報を送信する。また、端末装置２００は、通信ネットワーク３００を介して、情報提供システム１２００から第２分布情報を受信する。そして、端末装置２００は、第２分布情報に基づいて、画面４００又は画面４１０を表示する。
【０１１８】
本実施形態では、空気の状態を示すパラメータの倉庫５００内における分布を倉庫５００内における領域毎に領域に応じた密度で示す情報が生成される。従って、本実施形態によれば、パラメータの分布の表示のための通信負荷と処理負荷とを低減することができる。
【０１１９】
（変形例）
以上、本発明の実施形態を説明したが、本発明を実施するにあたっては、種々の形態による変形及び応用が可能である。
【０１２０】
本発明において、上記実施形態において説明した構成、機能、動作のどの部分を採用するのかは任意である。また、本発明において、上述した構成、機能、動作のほか、更なる構成、機能、動作が採用されてもよい。また、上記実施形態において説明した構成、機能、動作は、自由に組み合わせることができる。
【０１２１】
例えば、情報提供システム１０００，１１００，１２００が備える機能が実現されるのであれば、これらの機能を実現するハードウェアの構成は、実施形態１，４，５で説明した構成に限定されない。
【０１２２】
また、実施形態１では、第１分布情報からパラメータが間引かれることにより、第２分布情報が生成される例について説明した。第１分布情報に含まれる複数のパラメータから算出される代表値により第２分布情報が生成されてもよい。代表値は、例えば、複数のパラメータにおける、平均値、中央値、最大値、最小値である。
【０１２３】
実施形態１では、重要度が、第１重要度と第２重要度との２段階である例について説明した。重要度は、３段階以上であってもよい。例えば、２つ以上の距離の閾値、或いは、２つ以上の要素（空調機５１０からの距離、倉庫５００の隅５２０からの距離、倉庫５００の端５５０からの距離、倉庫５００の出入口５６０からの距離）の組み合わせにより、３段階以上の重要度が決定されてもよい。
【０１２４】
例えば、空調機５１０からの距離が第１閾値以下である第１領域に第１重要度が付与され、空調機５１０からの距離が第１閾値を超え且つ第２閾値以下である第２領域に第２重要度が付与され、空調機５１０からの距離が第２閾値を超える第３領域に第３重要度が付与されてもよい。或いは、空調機５１０と出入口５６０との双方からの距離が閾値以下である第１領域に第１重要度が付与され、空調機５１０と出入口５６０との双方からの距離が閾値を超える第３領域に第３重要度が付与され、他の領域である第２領域に第２重要度が付与されてもよい。この場合、第１領域では第１密度でパラメータが表示され、第２領域では第２密度でパラメータが表示され、第３領域では第３密度でパラメータが表示される。なお、第２密度は、第１密度よりも低く第３密度よりも高い。
【０１２５】
実施形態１では、第１分布情報は、全領域に亘って、密度が均一である例に説明した。第１分布情報において、密度が均一でなくてもよい。実施形態１では、倉庫５００の隅５２０は、狭義の隅である例について説明した。倉庫５００の隅５２０は、広義の隅であってもよい。また、空調管理用の第２分布情報を生成するときに、空調機５１０、倉庫５００の隅５２０、倉庫５００の端５５０、倉庫５００の出入口５６０以外の領域に、第１重要度が設定されてもよい。また、パラメータの個数、パラメータの密度、パラメータの間引き率などは、実施形態１で説明した例に限定されないことは勿論である。また、取得情報による分類は、物品管理と空調管理とに限定されない。
【０１２６】
実施形態１では、ユーザＩＤを含むユーザ識別情報が取得情報に含まれる例について説明した。ユーザ識別情報は、例えば、ユーザの指紋情報、ユーザの顔画像情報を含んでいてもよい。また、取得情報に、ユーザ識別情報でなく、物品管理と空調管理とのうちのいずれか一方を指定する指定情報が含まれていてもよい。また、実施形態４において、性能情報に、端末装置２２０の表示性能が含まれていてもよい。この表示性能には、例えば、画面のサイズが含まれ、画面が小さいほどパラメータの間引き率が高いことが好適である。
【０１２７】
本発明に係る情報提供装置１００，１２０の動作を規定する動作プログラムを既存のパーソナルコンピュータや情報端末装置に適用することで、当該パーソナルコンピュータ等を本発明に係る情報提供装置１００，１２０として機能させることも可能である。また、このようなプログラムの配布方法は任意であり、例えば、ＣＤ−ＲＯＭ（Compact Disk Read-Only Memory）、ＤＶＤ（Digital Versatile Disk）、メモリカードなどのコンピュータ読み取り可能な記録媒体に格納して配布してもよいし、インターネットなどの通信ネットワークを介して配布してもよい。
【０１２８】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【０１２９】
本発明は、パラメータの倉庫内における分布を示す情報を表示するシステムに適用可能である。
【符号の説明】
【０１３０】
１１，２１  プロセッサ、１２  ハードディスク、１３  キーボード、１４  液晶ディスプレイ、１５，２４  通信インターフェース、２２  フラッシュメモリ、２３  タッチスクリーン、１００，１２０  情報提供装置、１０１  分布情報記憶部、１０２  設置位置記憶部、１０３  レイアウト記憶部、１０４  物品位置記憶部、１０５  対応関係記憶部、１０６  取得情報受信部、１０７  取得情報判別部、１０８  重要度決定部、１０９  分布情報生成部、１１０  分布情報送信部、１１１  性能情報取得部、１２１  分布情報データベース、１２２  設置位置データベース、１２３  レイアウトデータベース、１２４  物品位置データベース、１２５  対応関係データベース、１２７  取得情報判別サーバ、１２８  重要度決定サーバ、１２９  分布情報生成サーバ、２００，２２０  端末装置、２０１  取得情報取得部、２０２  取得情報送信部、２０３  分布情報受信部、２０４  分布情報表示部、２０５  性能情報送信部、３００  通信ネットワーク、４００，４１０  画面、５００  倉庫、５１０  空調機、５２０，５２０Ａ，５２０Ｂ，５２０Ｃ，５２０Ｄ  隅、５３０  棚、５４０  物品、５５０  端、５６０  出入口、６００，６００Ａ，６００Ｂ  図形、７００，７０１，７０２，７１０，７２０，７２０Ａ，７２０Ｂ，７２０Ｃ，７２０Ｄ，７５０，７６０  領域、１０００，１１００，１２００  情報提供システム
【図１】
2020194452.tif 000003
【図２】
2020194452.tif 000004
【図３】
2020194452.tif 000005
【図４】
2020194452.tif 000006
【図５】
2020194452.tif 000007
【図６】
2020194452.tif 000008
【図７】
2020194452.tif 000009
【図８】
2020194452.tif 000010
【図９】
2020194452.tif 000011
【図１０】
2020194452.tif 000012
【図１１】
2020194452.tif 000013
【図１２】
2020194452.tif 000014
【図１３】
2020194452.tif 000015
【図１４】
2020194452.tif 000016
【図１５】
2020194452.tif 000017
【図１６】
2020194452.tif 000018
【図１７】
2020194452.tif 000019
【国際調査報告】
2020194452.tif 000020
2020194452.tif 000021
2020194452.tif 000022
2020194452.tif 000023